(57)【要約】  【課題】既成の画像データをインターネット経由で取得、またはユーザが作成した画像を独自に取り込むことができ、電子機器の表示パネルに表示される内容が、長期に亘ってユーザが使用しても飽きを生じさせることがない電子機器の表示装置を提供する。  【解決手段】パソコン本体１に接続されたキーボード３操作等を行なうことによって表示画面８のような横長の画面をディスプレイ２に表示させ、その中のユーザが任意に変更したい部分を抽出部８ａとして指定し、これに加工を施して設定部９とする。この設定部９のデータはパソコン本体１のメモリに取り込まれ、そのデータをＣＤ−Ｒ等の記録媒体に記録してディスク４を作製する。作製されたディスク４は、例えばカーオーディオ機器にセットしてデータ格納されユーザ好みの表示を行なうことができる。【選択図】図１
2005309069.tif 000002
【特許請求の範囲】
【請求項１】
動作状態等の所定表示を行なう表示パネルを有する電子機器の表示装置において、
前記表示パネルに表示する表示画像にかかる表示データを予め記憶する記憶手段と、前記記憶手段に対して外部から前記表示データを書き込む書込手段とを備え、
前記表示データの少なくとも一部を予め設定した内容とし、該内容の一部を異なる態様の表示データにユーザが変更し得るように構成することを特徴とする電子機器の表示装置。
【請求項２】
前記電子機器は、前記データ記憶手段が固定的に設けられることを特徴とする請求項１に記載の電子機器の表示装置。
【請求項３】
前記電子機器は、前記データ記憶手段が当該電子機器に着脱自在に設けられることを特徴とする請求項１に記載の電子機器の表示装置。
【請求項４】
前記データ記憶手段は、フラッシュメモリで構成することを特徴とする請求項３に記載の電子機器の表示装置。
【請求項５】
前記データ記憶手段は、書き込み自在型のディスクで構成することを特徴とする請求項３に記載の電子機器の表示装置。
【請求項６】
前記データ書込手段は、予め用意されたデータを前記データ記憶手段に書き込むことを特徴とする請求項１乃至請求項５のいずれかに記載の電子機器の表示装置。
【請求項７】
前記データ書込手段は、所定のサイトに蓄積されたデータを通信ネットワークを介して前記データ記憶手段に書き込むことを特徴とする請求項１乃至請求項５のいずれかに記載の電子機器の表示装置。
【請求項８】
前記表示データは、動画像であることを特徴とする請求項１乃至請求項７に記載の電子機器の表示装置。
【請求項９】
前記表示データは、静止画像であることを特徴とする請求項１乃至請求項７に記載の電子機器の表示装置。
【請求項１０】
前記電子機器は、車載型機器であることを特徴とする請求項１乃至請求項７に記載の電子機器の表示装置。
【発明の詳細な説明】
【技術分野】
【０００１】
本発明は、動作状態等の所定表示を行なう表示パネルを有する電子機器の表示装置に関する。
【背景技術】
【０００２】
カーオーディオ機器、カーナビゲーション機器等々の車載機器、また据置き型の機器である電子機器には、その動作状態を表示したり各種の画像情報を表示させるための表示パネルを有して構成される。
【０００３】
この表示パネルは、その表示が例えば行方向が２５６ドットで列方向が６４ドットの横長の液晶もしくはＥＬ表示素子によって行なわれ、単色、多色もしくはフルカラー表示で表示される。
【０００４】
当該電子機器がカーオーディオ機器の場合には、その表示パネルに、音ソースの種類（ラジオ放送、コンパクトカセット再生、ＣＤ再生、ＭＤ再生、ＣＤチェンジャ再生等）の情報が表示されると共に、それらに関連する詳細内容（放送受信周波数、再生トラック番号、再生経過時間等）の情報が表示され、これらの基礎情報に連動する付加的視覚表示が行なわれる。
【０００５】
その付加的視覚表示は、基礎情報が例えばグラフィックイコライザ表示であった場合には、再生周波数に同期したグラフ表示やパターン表示として行われ、グラフ表示やパターン表示の具体的な表示態様は、当該電子機器の製造メーカーで一律に標準設定されものを使用することができると共に、ユーザが使用するときにその一部の表示態様を変更できるようにされている。
【０００６】
表示パネルが例えば図５に示す表示画面５のように横長であった場合、当該電子機器のユーザは、ディスプレイ２とキーボード３が接続されたパソコン本体１において、ディスプレイ２を見ながらキーボード３操作等を行なうことによって表示画面５に図６に示す符号６で示すような表示画面を作成したり、符号７で示すような表示画面を作成し、そのデータをＣＤ−Ｒ、ＣＤ−ＲＷ、ＤＶＤ−Ｒ、ＤＶＤ−ＲＷ等々の記録媒体に記録してディスク４を作製する。
【０００７】
表示画面６における第１表示６ａは、再生ソースの種類が書かれた絵柄で、第２表示６ｂは、再生経過時間を示す絵柄で、第３表示６ｃは、再生音声と連動して拡大／縮小される絵柄であり、これらと同様の第１表示７ａ第２表示７ｂ第３表示７ｃに、第４画面７ｄに示すような再生トラック番号を示す絵柄を付加した表示画面７としてデータ設定をすることができ、その設定データをディスク４に記録することができる。
【０００８】
このディスク４を電子機器にセットし表示画面５に示すような動作指令を与えることによって、表示画面６または表示画面７による静止画や動画を電子機器にダウンロードすることができる。
【０００９】
また、［特許文献１］に開示されているようにインターネット接続可能なパソコンを用い、そのダウンロードデータによって生成される画像データを電子機器（車載用オーディオ機器）に取り込み、画像取り込みソフトウェアによってユーザにより撮影された静止画、または動画像データも取り込むことができ、このようにして取り込まれたデータを電子機器に内蔵されたメモリ（フラッシュメモリ等）に対し、画像データを書き込む形態に応じ、２つの動作モードが用意され、１つは、固定データ表示モードであり、他は、カスタマイズモートであり、両モードを選択して表示パネルに表示させることができる。
【００１０】
【特許文献１】特開２００２−７２９９５公報（図１、［００１８］〜［００２０］参照）
【発明の開示】
【発明が解決しようとする課題】
【００１１】
従来の電子機器の表示装置は、表示パネルに対するグラフィックをユーザが自由に表示させるためのデータを作製することができるものの、その対象は、静止画と動画のみであって、スペアナ表示やオーディオ調整時に現れるグラフィックについては、電子機器の製造メーカで予め用意されたものでしか表示させることができないという難点があり、当該のグラフィックに対して細部変更、例えば輝度調整、輪郭調整、境界調整等々の細部変更ができないという問題がある。
る。
【００１２】
従って、ユーザにとっては、電子機器を使用し始めた時期においては訴求力の強い表示となり興味を持って表示パネルの表示内容を観察することができるものの、時間が経つに連れて次第に飽きが生じ、見向きもされないといった難点がある。
【００１３】
そこで、本発明の目的は、既成の画像データをインターネット経由で取得、あるいはユーザが作成した画像を独自に取り込むことができ、電子機器の表示パネルに表示される内容が、長期に亘ってユーザが使用しても飽きを生じさせることがない電子機器の表示装置を提供することにある。
【課題を解決するための手段】
【００１４】
本発明による電子機器の表示装置は、次に記載するような特徴的な構成を採用している。
【００１５】
（１）動作状態等の所定表示を行なう表示パネルを有する電子機器の表示装置において、
前記表示パネルに表示する表示画像にかかる表示データを予め記憶する記憶手段と、前記記憶手段に対して外部から前記表示データを書き込む書込手段とを備え、
前記表示データの少なくとも一部を予め設定した内容とし、該内容の一部を異なる態様の表示データにユーザが変更し得るように構成する電子機器の表示装置。
【００１６】
（２）前記電子機器は、前記データ記憶手段が固定的に設けられる上記（１）に記載の電子機器の表示装置。
【００１７】
（３）前記電子機器は、前記データ記憶手段が当該電子機器に着脱自在に設けられる上記（１）に記載の電子機器の表示装置。
【００１８】
（４）前記データ記憶手段は、フラッシュメモリで構成する上記（１）に記載の電子機器の表示装置。
【００１９】
（５）前記データ記憶手段は、書き込み自在型のディスクで構成する上記（３）に記載の電子機器の表示装置。
【００２０】
（６）前記データ書込手段は、予め用意されたデータを前記データ記憶手段に書き込む上記（１）乃至（５）のいずれかに記載の電子機器の表示装置。
【００２１】
（７）前記データ書込手段は、所定のサイトに蓄積されたデータを通信ネットワークを介して前記データ記憶手段に書き込む上記（１）乃至（５）のいずれかに記載の電子機器の表示装置。
【００２２】
（８）前記表示データは、動画像である上記（１）乃至（７）のいずれかに記載の電子機器の表示装置。
【００２３】
（９）前記表示データは、静止画像である上記（１）乃至（７）のいずれかに記載の電子機器の表示装置。
【００２４】
（１０）前記電子機器は、車載型機器である上記（１）乃至（７）のいずれかに記載の電子機器の表示装置。
【発明の効果】
【００２５】
本発明による電子機器の表示装置は、表示パネルに対するグラフィックをユーザが自由に表示させるためのデータを作製することができ、これと同時に静止画と動画のみならず、スペアナ表示やオーディオ調整時に現れるグラフィックについてもユーザーの好みによる変更ができ、その細部変更、例えば輝度調整、輪郭調整、境界調整等々も行うことができ、変更の自由度が極め高く使い勝手の良い表示装置とすることができる。
【００２６】
また、ユーザにとっては、電子機器を使用し始めた時期においては訴求力の強い表示となり興味を持って表示パネルの表示内容を観察することができ、この状態は、使用時間が経つに連れて任意に変化させることができるので飽きが生じることがなく常に訴求力の強い表示を維持することができる。
【００２７】
従って、本発明によれば、既成の画像データをインターネット経由で取得、あるいはユーザが作成した画像を独自に取り込むことができ、電子機器の表示パネルに表示される内容が、長期に亘ってユーザが使用しても飽きを生じさせることがない電子機器の表示装置を提供することができる。
【実施例１】
【００２８】
本発明の実施の形態による電子機器の表示装置を、先ず実施例１として図１と図２を用いて説明する。
【００２９】
図１において、当該電子機器のユーザは、ディスプレイ２とキーボード３が接続されたパソコン本体１において、ディスプレイ２を見ながらキーボード３操作等を行なうことによって表示画面８のような横長の画面をディスプレイ２に表示させ、その中の一部、即ち、ユーザが任意に変更したい部分を抽出部８ａとして指定し、これに加工を施して設定部９とする。
【００３０】
この設定部９のデータはパソコン本体１のメモリに取り込まれ、そのデータをＣＤ−Ｒ、ＣＤ−ＲＷ、ＤＶＤ−Ｒ、ＤＶＤ−ＲＷ等々の記録媒体に記録してディスク４を作製する。
【００３１】
このようにして作製されたディスク４は、電子機器、例えばカーオーディオ機器にセットし、図２に示すように表示画面１０を表わしダウンロードの動作指令を与えることによって、表示画面１１のような表示を再生音声に連動して行うことができる。
【００３２】
当該表示における表示画面１１の第１表示１１ａは、音声帯域のうちの低域のスペクトル成分を、その増減に連動して上下に移動するもので、第２表示１１ｂは、音声帯域のうちの中域のスペクトル成分を、その増減に連動して上下に移動するもので、第３表示１１ｃは、音声帯域のうちの高域のスペクトル成分を、その増減に連動して上下に移動するものである。
【００３３】
また、低中高の３分割のスペアナ表示のみならず図１に示す抽出部８ａの幅を狭くして設定するようにキーボード３を操作することによって帯域数を多くすることができ、同時にスペアナ表示の輝度や形状のみならず色もユーザの好みによって自由に変更することができる。
【００３４】
この輝度変更は、ディマー制御のように画面全体の輝度を減少させる変更のみならず部分的に輝度を変化させることができ、また、輪郭や境界の状態もユーザの好みによって変更することができる。
【００３５】
例えば、文字表示とグラフィック表示を重ねて表示するときに、機器の製造メーカーで調整したグラフィック表示の輝度が文字表示の輝度に対して明るすぎる場合には、当該文字が見えづらくなるが、グラフィック表示を調整することによってこれを補うことができる。
【実施例２】
【００３６】
本発明の実施の形態による電子機器の表示装置を、実施例２として図３と図４を用いて説明する。
【００３７】
図３において、当該電子機器のユーザは、ノートパソコン１２とカーオーディオ機器１４をＵＳＢケーブル１３を介して接続し、［実施例１］におけると同様にして、ノートパソコン１２のディスプレイにカーオーディオ機器１４の表示画面を表示させ、その中の一部、即ち、ユーザーが任意に変更したい部分を抽出部として指定し、これに加工を施して設定部とする。
【００３８】
この設定部のデータはノートパソコン１２のメモリに取り込まれ、そのデータをＵＳＢケーブル１３を介してカーオーディオ機器１４に転送される。
【００３９】
このようにして作製される表示データは、図４に示すような表示画面１５を表わしダウンロードの動作指令を与えることによってカーオーディオ機器１４に取り込まれる。
【００４０】
表示画面１５は、ＨＰＦイコライザのカットオフ周波数を数字で示す第２表示１５ｂと、このカットオフ周波数の特性をグラフで示す第１表示１５ａで構成されている。
【００４１】
ユーザによる設定が低音用スピーカと中高音用スピーカのクロスオーバー周波数を表示させる場合には、表示画面１６に示すように、第２表示１６ｂにクロス周波数を数字で示させ、第１表示１６ａに両スピーカのスロープ特性を示させるようにしたり、表示画面１７に示すように、第２表示１７ｂにクロス周波数を数字で示させ、第１表示１６ａに両スピーカのスロープ特性（第１表示１６ａによる傾斜より急傾斜）を示させるようにしたり、表示画面１８に示すように、第２表示１８ｂにクロス周波数を数字で示させ、第１表示１８ａに両スピーカのスロープ特性（第１表示１７ａによるクロスよりも離れている状態）を示させるようにできる。
【００４２】
表示画面における表示は、インターネット接続可能なパソコンからダウンロードしたデータであったり、ユーザ自身で作成したデータの何れであってもよく、その態様は全くの任意である。
【図面の簡単な説明】
【００４３】
【図１】本発明による実施例１の電子機器の表示装置の動作原理を説明するためのブロック回路図である。
【図２】図１に示される電子機器の表示装置の表示画面の表示例を説明するための図である。
【図３】本発明の実施例２の電子機器の表示装置の動作原理を説明するためのブロック回路図である。
【図４】図１に示される電子機器の表示装置の表示画面の表示例を説明するための図である。
【図５】従来の電子機器の表示装置の動作原理を説明するためのブロック回路図である。
【図６】図５に示される電子機器の表示装置の表示画面の表示例を説明するための図である。
【符号の説明】
【００４４】
１  パソコン本体
２  ディスプレイ
３  キーボード
４  ディスク
５〜７  表示画面
８  抽出部
９  設定部
１０、１１  表示画面
１２  ノートパソコン
１３  ＵＳＢケーブル
１４  カーオーディオ機器
１５、１６  表示画面
【図１】
2005309069.tif 000003
【図２】
2005309069.tif 000004
【図３】
2005309069.tif 000005
【図４】
2005309069.tif 000006
【図５】
2005309069.tif 000007
【図６】
2005309069.tif 000008